(57)【要約】【課題】気圧の変動にかかわらず一定の富化ガス量を提供するガス富化装置を提供する。【解決手段】選択性ガス富化膜ユニット１と、選択性ガス富化膜ユニット１の前後に差圧を発生させる差圧発生手段２と、選択性ガス富化膜ユニット１の透過上流側の大気圧を検知する大気圧検知手段５を有し、検知された大気圧に応じて差圧発生手段２の運転量を変化させるもので、例えば、選択性ガス富化膜ユニット１の透過上流側空気の気圧が低く、所定のガスの絶対量が不足している場合に差圧発生手段２の運転量を増やして、空気中の所定のガス濃度を他のガスに対して相対的に向上させ、また、選択性ガス富化膜ユニット１の透過上流側空気の気圧が高く、所定のガスの絶対量が多い場合に差圧発生手段２の運転量を減らすようにすれば、富化ガス供給量を常に一定に確保でき、効率の良い運転を行うことができ、信頼性の向上を図ることができる。【選択図】図１ 
2005199218.tif 000002
【特許請求の範囲】
【請求項１】
選択性ガス富化膜と、前記選択性ガス富化膜の前後に差圧を発生させる差圧発生手段と、前記選択性ガス富化膜の透過上流側の大気圧を検知する大気圧検知手段を有し、検知された前記大気圧に応じて前記差圧発生手段の運転量を変化させることを特徴とするガス富化装置。
【請求項２】
選択性ガス富化膜と、前記選択性ガス富化膜の前後に差圧を発生させる差圧発生手段を備え、前記選択性ガス富化膜の透過上流側の大気圧と、富化ガスを放出する放出口近傍または放出された空間の大気圧との差圧に応じて前記差圧発生手段の運転量を変化させることを特徴とするガス富化装置。
【請求項３】
富化ガス流量を検知する流量検知手段を有し、前記流量検知手段で検知した前記富化ガス流量に応じて差圧発生手段の出力を変化させることを特徴とする請求項1または２記載のガス富化装置。
【請求項４】
富化ガス流量を検知する流量検知手段と、選択性ガス富化膜の透過上流側の空気を移動させる掃気手段を有し、前記流量検知手段で検知した前記富化ガス流量に応じて前記掃気手段の運転量を変化させることを特徴とする請求項1または２記載のガス富化装置。
【請求項５】
流量検知手段を選択性ガス富化膜と差圧発生手段の間に配置したことを特徴とする請求項３又は４記載のガス富化装置。
【発明の詳細な説明】
【技術分野】
【０００１】
本発明は、空気中の所定のガス濃度を他のガスに対して相対的に向上させるガス富化装置に関するものである。
【背景技術】
【０００２】
従来、選択性ガス富化膜を用いて特定のガス濃度を相対的に向上させる酸素富化装置や窒素富化装置などについては、医療用の酸素富化装置、空気調和機、空気清浄機などの機器について種々の発明がなされている。
【０００３】
例えば被空調空間の酸素濃度を向上させるものとして、分離型空気調和機の室外機に酸素富化手段を設け、その酸素富化された空気を、送出配管を介して室内機に送り、室内側に放出して被空調空間である室内環境の酸素濃度を向上させて、居住者の快適性の用に供するという発明が開示されている（例えば、特許文献１参照）。
【特許文献１】特開平２−１３６６３１号公報
【発明の開示】
【発明が解決しようとする課題】
【０００４】
しかしながら、上記従来の技術では、ガス富化装置の設置空間状態や設置場所による大気圧は考慮されておらず、選択性ガス富化膜の透過上流側空気の気圧が低く、所定のガスの絶対量が少ない場合、空気中の所定の富化ガス供給量を確保できないという課題があった。
【０００５】
また、選択性ガス富化膜の透過上流側空気の気圧が高く、所定のガスの絶対量が多い場合であっても、富化ガスを放出する放出口近傍または放出された空間の気圧が低いと、空気中の所定のガス濃度を他のガスに対して相対的には向上できるが、所定のガスの絶対量が不足している為、高濃度の効果が得られにくいという課題があった。
【０００６】
更に、選択性ガス富化膜の膜能力低下または透過量低下によって富化ガス流量が少なくなった場合も、空気中の所定のガス濃度を他のガスに対して相対的には向上できるが、所定のガスの絶対量が不足している為、高濃度の効果が得られにくいという課題があった。
【０００７】
本発明は、前記従来の課題を解決するもので、供給する富化ガス量の低下防止を行い、信頼性の高いガス富化装置を提供することを目的としている。
【課題を解決するための手段】
【０００８】
前記従来の課題を解決するために、本発明のガス富化装置は、選択性ガス富化膜と、前記選択性ガス富化膜の前後に差圧を発生させる差圧発生手段と、前記選択性ガス富化膜の透過上流側の大気圧を検知する大気圧検知手段を有し、検知された前記大気圧に応じて前記差圧発生手段の運転量を変化させるもので、例えば、選択性ガス富化膜の透過上流側空気の気圧が低く、所定のガスの絶対量が不足している場合に差圧発生手段の運転量を増やして、空気中の所定のガス濃度を他のガスに対して相対的に向上させ、また、選択性ガス富化膜の透過上流側空気の気圧が高く、所定のガスの絶対量が多い場合に差圧発生手段の運転量を減らすようにすれば、富化ガス供給量を常に一定に確保でき、効率の良い運転を行うことができ、信頼性の向上を図ることができる。
【０００９】
また、本発明のガス富化装置は、選択性ガス富化膜と、前記選択性ガス富化膜の前後に差圧を発生させる差圧発生手段を備え、前記選択性ガス富化膜の透過上流側の大気圧と、
富化ガスを放出する放出口近傍または放出された空間の大気圧との差圧に応じて前記差圧発生手段の運転量を変化させるもので、例えば、選択性ガス富化膜の上流側空気の気圧が富化ガスの放出出口近傍または放出された空間の大気圧より低く、所定のガスの絶対量が不足している場合には差圧発生手段の運転量を増やして、空気中の所定のガス濃度を向上させ、また、選択性ガス富化膜の上流側空気の気圧が富化ガスの放出出口近傍または放出された空間の大気圧より高く、所定のガスの絶対量が多い場合に差圧発生手段の運転量を減らすようにすれば、常に富化ガスの供給量を一定に保つ事ができるとともに、効率の良い運転を行うことができ、信頼性の向上を図ることができる。
【発明の効果】
【００１０】
本発明のガス富化装置は、選択性ガス富化膜の上流側の気圧や富化ガスが放出される空間の気圧が変動しても、供給する富化ガス量を一定に保つことができ、信頼性の高いものである。
【発明を実施するための最良の形態】
【００１１】
第１の発明は、選択性ガス富化膜と、前記選択性ガス富化膜の前後に差圧を発生させる差圧発生手段と、前記選択性ガス富化膜の透過上流側の大気圧を検知する大気圧検知手段を有し、検知された前記大気圧に応じて前記差圧発生手段の運転量を変化させるもので、例えば、選択性ガス富化膜の透過上流側空気の気圧が低く、所定のガスの絶対量が不足している場合に差圧発生手段の運転量を増やして、空気中の所定のガス濃度を他のガスに対して相対的に向上させ、また、選択性ガス富化膜の透過上流側空気の気圧が高く、所定のガスの絶対量が多い場合に差圧発生手段の運転量を減らすようにすれば、富化ガス供給量を常に一定に確保でき、効率の良い運転を行うことができ、信頼性の向上を図ることができる。
【００１２】
第２の発明は、選択性ガス富化膜と、前記選択性ガス富化膜の前後に差圧を発生させる差圧発生手段を備え、前記選択性ガス富化膜の透過上流側の大気圧と、富化ガスを放出する放出口近傍または放出された空間の大気圧との差圧に応じて前記差圧発生手段の運転量を変化させるもので、例えば、選択性ガス富化膜の上流側空気の気圧が富化ガスの放出出口近傍または放出された空間の大気圧より低く、所定のガスの絶対量が不足している場合には差圧発生手段の運転量を増やして、空気中の所定のガス濃度を向上させ、また、選択性ガス富化膜の上流側空気の気圧が富化ガスの放出出口近傍または放出された空間の大気圧より高く、所定のガスの絶対量が多い場合に差圧発生手段の運転量を減らすようにすれば、常に富化ガスの供給量を一定に保つ事ができるとともに、効率の良い運転を行うことができ、信頼性の向上を図ることができる。
【００１３】
第３の発明は、特に、第１又は第２の発明の富化ガス流量を検知する流量検知手段を有し、前記流量検知手段で検知した前記富化ガス流量に応じて差圧発生手段の出力を変化させるもので、選択性ガス富化膜の透過上流側空気の気圧は高いが、選択性ガス富化膜の膜能力低下（例えば選択性ガス富化膜にゴミやホコリ、油などが付着した場合）や、選択性ガス富化膜の透過量低下（例えば空気中に窒素が多く酸素が透過しにくい場合）によって富化ガス流量が不足すると、それが前記流量検知手段で検知され、その減少したガス量に応じて、差圧発生手段の運転量を増やすようにすれば、所定のガス濃度を他のガスに対して相対的に向上させることができ、富化ガス供給量を一定に確保できる。
【００１４】
第４の発明は、特に、第１又は第２の発明の富化ガス流量を検知する流量検知手段と、選択性ガス富化膜の透過上流側の空気を移動させる掃気手段を有し、前記流量検知手段で検知した前記富化ガス流量に応じて前記掃気手段の運転量を変化させるもので、選択性ガス富化膜の透過上流側空気の気圧は高いが、選択性ガス富化膜の膜能力低下（例えば選択性ガス富化膜にゴミやホコリ、油などが付着した場合）や、選択性ガス富化膜の透過量低
下（例えば空気中に窒素が多く酸素が透過しにくい場合）によって富化ガス流量が不足してしまう場合に、掃気手段の運転量を増やし選択性ガス富化膜の周囲により多くの新鮮な空気を供給するようにすれば、空気中の所定のガス濃度を他のガスに対して相対的に向上させることができ、一定の富化ガス供給量を確保することができる。
【００１５】
第５の発明は、特に、第３又は第４の発明の流量検知手段を選択性ガス富化膜と差圧発生手段の間に配置したもので、流量検知手段が負圧側に配置されることになるので、流量検知手段の動作が安定し、富化ガス量の検知が精度良く行なわれ、富化ガス供給量をより一定に確保することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるガス富化装置を組み込んだ空気調和機の構成概念図、図２は、同ガス富化装置の差圧発生手段制御図、図３は、同ガス富化装置のタイムチャート図である。
【００１８】
図１において、空気調和機は室内機１５と室外機１１より構成され、冷媒ガスが循環するように接続配管(図示せず)で接続されている。室内機１５には室内ファン１３が具備され、一方室外機１１には室外ファン８、圧縮機９、熱交換器１０が具備されていると共に、一室を隔してガス富化装置７が設けられている。
【００１９】
ガス富化装置７には、複数の選択性ガス富化膜（図示せず）からなる選択性ガス富化膜ユニット１と、選択性ガス富化膜ユニット１の前後に差圧を発生させる差圧発生手段２と、選択性ガス富化膜ユニット１と差圧発生手段２とを通気可能に連結する供給管３と、所定のガス富化された空気が差圧発生手段２から吐出される吐出管４が設けられている。また、選択性ガス富化膜ユニット１の透過上流側すなわち外気導入口６近傍に大気圧を検知する大気圧検知手段５が設けられている。なお、大気圧検知手段５は外気導入口６近傍に設けた場合及び、選択性ガス富化装置７に内蔵した場合についても同様の効果を奏するものである。
【００２０】
また、吐出管４を介して所定のガス富化された空気が、室内機１５の筐体内部またはその付近で吹き出される富化ガス放出口１２を具備しており、室内機１５筐体内の送風回路に面して富化ガス放出口１２が配置された場合には、室内ファン１３の動作により吹き出される送風にガス富化された空気が添加されて室内吹出し口１４より被空間に放出される。
【００２１】
また、富化ガス放出口１２近傍またはガス富化された空気が放出された空間の大気圧を検知する大気圧検知手段５ａが設けられている。なお、大気圧検知手段５ａは室内機１５に内蔵した場合及び、外付けにした場合についても同様の効果を奏するものである。
【００２２】
上記構成において、差圧発生手段２が運転されると矢印で示す様に外気導入口６より流入し選択性ガス富化膜ユニット１を通過した空気が供給管３を通過して差圧発生手段２に吸い込まれ、所定のガス富化された空気が吐出管４を介して室内機１５に送出される。また、選択性ガス富化膜ユニット１の透過上流側すなわち外気導入口６近傍の大気圧を検知する大気圧検知手段５にて検知された値によって差圧発生手段２の運転量を可変させ、供給する富化ガス量の低下防止を行うことができる。また、富化ガス放出口１２近傍または放出された空間の大気圧を検知する大気圧検知手段５ａにて検知された値と、外気導入口６近傍の大気圧を検知する大気圧検知手段５にて検知された値との差圧に基づいて差圧発
生手段２の運転量を可変させ、供給する富化ガス量の低下防止を行うことができる。
【００２３】
次に図２、３を用いて、大気圧による差圧発生手段２の運転量制御について以下、一実施の形態例として差圧発生手段２を減圧ポンプとし、その運転量を可変する方法として前記減圧ポンプのファン回転数を可変することして説明する。図２は本実施の形態における差圧発生手段２制御図であり、上方が検知された大気圧が高く、下方ほど検知された大気圧が低いことを示している。図３は同制御仕様で動作した時の挙動を示すタイムチャートである。ここでは、外気導入口６近傍の大気圧検知手段５により検知された大気圧値をｐとし、予め設定された大気圧値をＰ(Ｐ１、Ｐ２、Ｐ３、Ｐ４)とする。
【００２４】
また、差圧発生手段２すなわち減圧ポンプの運転量において、回転数ｒはｒ１＞ｒ２＞ｒ３とする。
【００２５】
差圧発生手段２は、大気圧検知手段５により検知された大気圧値ｐがＰ１以上Ｐ３未満の状態では減圧ポンプの回転数はｒ２になっている。大気圧検知手段５は大気圧値ｐをＰ１とＰ２及びＰ３とＰ４とを比較し、図２に示すような制御仕様に従って図３に示すように運転動作が行われる。ａ点では大気圧値ｐがＰ１以上Ｐ３未満にあるためｒ２となり、ｂ点では大気圧値ｐが低くＰ１以下にあるためＰ２を超えるまでｒ１となり、ｃ点では大気圧値ｐがＰ２以上Ｐ４未満にあるためｒ２となり、ｄ点では大気圧値ｐが高くＰ４以上にあるためＰ３以下になるまでｒ３となる。
【００２６】
また、上記実施例ではＰ１とＰ２、Ｐ３とＰ４の大気圧値をそれぞれ設定しているが、Ｐ１＝Ｐ２、Ｐ３＝Ｐ４としても同様の効果を奏するものである。また、富化ガス放出口１２近傍の大気圧検知手段５ａにて検知された大気圧値と外気導入口６近傍の大気圧検知手段５にて検知された大気圧値との差圧を△ｐとした場合、前記ｐを△ｐに置き換えても同様の効果を奏するものである。また、差圧発生手段２の運転量を変化させるのに回転数を変える代わりに、周波数や電圧値を変えるようにして同様の効果を奏するものである。
【００２７】
（実施の形態２）
次に、本発明の第２の実施の形態におけるガス富化装置について図４〜１２を用いて説明する。なお、上記実施の形態と同一部分については、同一符号を付してその説明を省略する。
【００２８】
同図において、ガス富化装置７には、選択性ガス富化膜ユニット１と、差圧発生手段２と、選択性ガス富化膜ユニット１と差圧発生手段２とを通気可能に連結する供給管３が設けられ、前記供給管３に富化ガス流量を検知する流量検知手段１６が設けられている。また、所定のガス富化された空気が差圧発生手段２から吐出される吐出管４が設けられている。また、選択性ガス富化膜ユニット１の透過上流側すなわち外気導入口６近傍には、大気圧を検知する大気圧検知手段５と、滞留する窒素富化空気を掃気する為のファンなどからなる掃気手段１７が設けられている。
【００２９】
上記構成において、差圧発生手段２が運転されると矢印で示す様に外気導入口６より流入し選択性ガス富化膜ユニット１を通過した空気が供給管３を通過して差圧発生手段２に吸い込まれ、所定のガス富化された空気が吐出管４を介して室内機１５に送出される。なお、選択性ガス富化膜ユニット１を通過した空気が供給管３を通過する時に富化ガス流量を検知する流量検知手段１６にて検知された値によって差圧発生手段２の運転量を変化させるもので、それにより供給する富化ガス量の低下防止を行うことができる。
【００３０】
また、選択性ガス富化膜ユニット１を通過した空気が供給管３を通過する時に富化ガス流量を検知する流量検知手段１６にて検知された値によって掃気手段１７の運転量を変化
させて、供給する富化ガス量の低下防止を行うこともできる。
【００３１】
次に図５〜１０を用いて、本実施の形態にかかる富化ガス流量による差圧発生手段２すなわち減圧ポンプの運転量制御について説明する。図５、図７、図９は、各大気圧状態での差圧発生手段２の制御図であり、上方が検知された流量が高く、下方ほど検知された流量が低いことを示している。図６、図８、図１０は同制御仕様で動作した時の挙動を示すタイムチャートである。
【００３２】
ここでは、選択性ガス富化膜ユニット１を通過した空気が供給管３を通過する時に富化ガス流量を検知する流量検知手段１６にて検知された値をｌとし、予め設定された流量値をＬ(Ｌ１、Ｌ２、Ｌ３、Ｌ４)とする。また、差圧発生手段２すなわち減圧ポンプの運転量において、回転数ｒはｒ１＞ｒ２＞ｒ３、ｒ４＞ｒ２＞ｒ５、ｒ７＞ｒ６＞ｒ１、ｒ３＞ｒ８＞ｒ９とする。
【００３３】
以降、詳細説明を３段階の大気圧の場合で説明する。
【００３４】
まず、大気圧通常時において、図５、図６で説明する。気圧値ｐがＰ１以上Ｐ３未満の時、図５において、差圧発生手段２は流量検知手段１６にて検知された流量値ｌがＬ１以上Ｌ３未満の状態では減圧ポンプの回転数はｒ２になっている。流量検知手段１６は流量値ｌをＬ１とＬ２及びＬ３とＬ４とを比較し、図５に示すような制御仕様に従って図６に示すように運転動作が行われる。ｅ点では流量値ｌがＬ１以上Ｌ３未満にあるためｒ２となり、ｆ点では流量値ｌが低くＬ１以下にあるためＬ２を超えるまでｒ４となり、ｇ点では流量値ｌがＬ２以上Ｌ４未満にあるためｒ２となり、ｈ点では流量値ｌが高くＬ４以上にあるためＬ３以下になるまでｒ５となる。
【００３５】
また、上記実施の形態ではＬ１とＬ２、Ｌ３とＬ４の流量値をそれぞれ設定しているが、Ｌ１＝Ｌ２、Ｌ３＝Ｌ４としても同様の効果を奏するものである。
【００３６】
次に、大気圧が低い時において図７、図８で説明する。大気圧値ｐがＰ１未満の時、図７において、差圧発生手段２は流量検知手段１６にて検知された流量値ｌがＬ７以上の状態では減圧ポンプの回転数はｒ１になっている。流量検知手段１６は流量値ｌをＬ５とＬ６及びＬ７とＬ８とを比較し、図７に示すような制御仕様に従って図８に示すように運転動作が行われる。ｉ点では流量値ｌがＬ７以上にあるためｒ１となり、ｊ点では流量値ｌがＬ５以上Ｌ７未満にあるためｒ６となり、ｋ点では流量値ｌが低くＬ５以下にあるためＬ６を超えるまでｒ７となり、ｍ点では流量値ｌがＬ６以上Ｌ８未満にあるためｒ６となり、ｎ点では流量値ｌが高くＬ８以上にあるためＬ７以下になるまでｒ１となる。
【００３７】
また、上記実施の形態ではＬ５とＬ６、Ｌ７とＬ８の流量値をそれぞれ設定しているが、Ｌ５＝Ｌ６、Ｌ７＝Ｌ８としても同様の効果を奏するものである。
【００３８】
次に、大気圧が高い時において図９、図１０で説明する。大気圧値ｐがＰ４以上の時、図９において、差圧発生手段２は流量検知手段１６にて検知された流量値ｌがＬ９未満の状態では減圧ポンプの回転数はｒ３になっている。流量検知手段１６は流量値ｌをＬ９とＬ１０及びＬ１１とＬ１２とを比較し、図９に示すような制御仕様に従って図１０に示すように運転動作が行われる。ｑ点では流量値ｌが低くＬ９未満にあるためｒ３となり、ｓ点では流量値ｌがＬ１０以上Ｌ１２未満にあるためｒ８となり、ｔ点では流量値ｌが高くＬ１２以上にあるためＬ１１未満になるまでｒ９となり、ｏ点では流量値ｌがＬ９以上Ｌ１１未満にあるためｒ８となる。
【００３９】
また、上記実施の形態ではＬ９とＬ１０、Ｌ１１とＬ１２の流量値をそれぞれ設定して
いるが、Ｌ９＝Ｌ１０、Ｌ１１＝Ｌ１２としても同様の効果を奏するものである。また、富化ガス放出口１２近傍の大気圧検知手段５ａにて検知された大気圧値と外気導入口６近傍の大気圧検知手段５にて検知された大気圧値との差圧を△ｐとした場合、前記ｐを△ｐに置き換えても同様の効果を奏するものである。
【００４０】
また、差圧発生手段２の回転数を変化させる代わりに、周波数や電圧値を変化させて同様の効果を奏するものである。
【００４１】
次に、富化ガス流量の変化に応じて掃気手段１７の運転量を制御する方法について述べる。具体的には、掃気手段１７を掃気ファンで形成し、その運転量を変化させるために前記掃気ファンのファン回転数を変化させることとして説明する。
【００４２】
図１１は、掃気手段１７の制御図であり、上方が検知された流量が高く、下方ほど検知された流量が低いことを示している。図１２は同制御仕様で動作した時の挙動を示すタイムチャートである。
【００４３】
ここでは、選択性ガス富化膜ユニット１を通過した空気が供給管３を通過する時に富化ガス流量を検知する流量検知手段１６にて検知された値をｌとし、予め設定された流量値をＬ(Ｌ１、Ｌ２、Ｌ３、Ｌ４)とする。また、掃気手段１７すなわち掃気ファンの運転量において、回転数ＲはＲ１＞Ｒ２＞Ｒ３＞とする。
【００４４】
掃気手段１７は流量検知手段１６にて検知された流量値ｌがＬ１以上Ｌ３未満の状態では掃気ファンの回転数はＲ２になっている。流量検知手段１６は流量値ｌをＬ１とＬ２及びＬ３とＬ４とを比較し、図１１に示すような制御仕様に従って図１２に示すように運転動作が行われる。ｕ点では流量値ｌがＬ１以上Ｌ３未満にあるためＲ２となり、ｖ点では流量値ｌが低くＬ１以下にあるためＬ２を超えるまでＲ１となり、ｗ点では流量値ｌがＬ２以上Ｌ４未満にあるためＲ２となり、ｘ点では流量値ｌが高くＬ４以上にあるためＬ３以下になるまでＲ３となる。
【００４５】
また、上記実施例ではＬ１とＬ２、Ｌ３とＬ４の流量値をそれぞれ設定しているが、Ｌ１＝Ｌ２、Ｌ３＝Ｌ４としても同様の効果を奏するものである。
【産業上の利用可能性】
【００４６】
以上のように、本発明にかかるガス富化装置は、選択性ガス富化膜の上流側の気圧や富化ガスが放出される空間の気圧が変動しても、供給する富化ガス量を一定に確保する事ができ、信頼性の高いもので、室内用の空気調和機の他に、車両用空気調和装置、一体形空気調和装置、空気清浄機などに搭載されたガス富化装置、医療用酸素富化装置、携帯用酸素富化装置、燃焼機器用酸素富化装置や、冷蔵庫など鮮度保持に用いる窒素富化装置などにも適用できるものである。
【図面の簡単な説明】
【００４７】
【図１】本発明の実施の形態１におけるガス富化装置を具備した空気調和機の構成概念図
【図２】同ガス富化装置の差圧発生手段制御図
【図３】同ガス富化装置のタイムチャート
【図４】本発明の実施の形態２におけるガス富化装置の構成概念図
【図５】同ガス富化装置の通常大気圧時の差圧発生手段制御図
【図６】同ガス富化装置の通常大気圧時のタイムチャート
【図７】同ガス富化装置の低大気圧時の差圧発生手段制御図
【図８】同ガス富化装置の低大気圧時のタイムチャート
【図９】同ガス富化装置の高大気圧時の差圧発生手段制御図
【図１０】同ガス富化装置の高大気圧時のタイムチャート
【図１１】同ガス富化装置の掃気手段制御図
【図１２】同ガス富化装置の動作を示すタイムチャート
【符号の説明】
【００４８】
１    選択性ガス富化膜ユニット
２    差圧発生手段
３    供給管
５    大気圧検知手段
６    外気導入口
７    ガス富化装置
８    室外ファン
９    圧縮機
１０    熱交換器
１１    室外機
１２    富化ガス放出口
１３    室内ファン
１４    室内吹出し口
１５    室内機
１６    流量検知手段
１７    掃気手段
【図１】
2005199218.tif 000003
【図２】
2005199218.tif 000004
【図３】
2005199218.tif 000005
【図４】
2005199218.tif 000006
【図５】
2005199218.tif 000007
【図６】
2005199218.tif 000008
【図７】
2005199218.tif 000009
【図８】
2005199218.tif 000010
【図９】
2005199218.tif 000011
【図１０】
2005199218.tif 000012
【図１１】
2005199218.tif 000013
【図１２】
2005199218.tif 000014